(57)【特許請求の範囲】
【請求項１】
シートの搬送路を挟み、互いに逆方向に回転し、前記シートの搬送方向に対して直交する方向に軸方向を配した一対の回転軸１７、１８と、
前記一対の回転軸のうち上方位置の回転軸の軸方向に、所定の間隔を保持して配した複数個の第１回転刃２１と、
下方位置の回転軸の軸方向に、前記各第１回転刃２１との周縁同士が互いに摺り合ってスリッター裁断部を構成するように配された複数個の第２回転刃２４と、
を備え、
少なくとも１個の前記第１回転刃２１の両側面に、１対の前記第２回転刃２４、２４を配し、
前記一対の第２回転刃２４、２４間に、前記一対の第２回転刃２４、２４の回転軸を貫通する貫通孔３０ｂが形成された板状体３０からなるガイド部材２７を設け、
該ガイド部材２７の平面状または曲面状の周縁部をガイド面３０ａとして、前記一対の第２回転刃２４、２４間に挟まれた切りくず３９が回転軸側に圧入されるのを防止しつつ、前記第２回転刃２４、２４から引き剥がして外部へとガイドしながら排出させるように構成したことを特徴とするカード裁断装置。
【発明の詳細な説明】
【技術分野】
【０００１】
本発明は、複数葉のカードに対応した印刷または印字が同一シート上にされたカード用紙及び無地の用紙を所望のカードサイズに裁断し、一葉毎のカードを製作できるカード裁断装置に関するものであり、特に、カード用紙を搬送方向に沿って裁断するスリッター裁断部において、第１回転刃の両側面に配した１対の第２回転刃間にはさまった切りくずを取り除くことができるカード裁断装置に関するものである。
【背景技術】
【０００２】
従来から用いられているカード裁断装置においては、プリンターや卓上文書印刷機等を用いて１枚のカード用紙上に複数葉のカードに対応する部分を同時に印刷または印字し、印刷または印字したカード用紙を複数枚積層して給紙カセット内に収容する。カード用紙を収容した給紙カセットをカード裁断装置にセットすることで、給紙カセットからカード用紙がカード裁断装置内に１枚づつ供給され、カード裁断装置内に配された裁断部において横方向と縦方向との裁断が行われ、所望のカードサイズに裁断されたカードを必要枚数製作することができる。
【０００３】
特に、縦方向の裁断、即ち、カード裁断装置内の搬送方向に沿ったスリッター裁断は、カード用紙の搬送路を挟んで、搬送方向に対して直交する方向に軸方向を配した互いに逆方向に回転する一対の回転刃を複数組設け、一対の回転刃間での裁断により行っている。また、複数組のうち少なくとも２組を、一方の回転刃を両側面に切断刃を有する構成となし、同両側面の切断刃に対して他方の回転刃をそれぞれ配した構成が広く採用されている。
【０００４】
しかし、同両側面の切断刃に対して他方の回転刃をそれぞれ配した構成では、隣接する他方の回転刃間に、切りくずがはさまって蓄積されてしまい、蓄積状態が増加するとこの裁断部での裁断操作が行えなくなる事態が発生する。
【０００５】
この問題を解決するため、隣接する回転刃間にはさまった切りくずをすき間から落下させることのできるカード裁断機のスリッター機構（例えば、特許文献１参照。）が提案されている。
【０００６】
特許文献１に記載されたカード裁断機は、図６に示すように紙面に垂直方向に搬送される図示せぬカード用紙を搬送方向に沿って裁断するスリッター裁断部４０を備えている。スリッター裁断部４０は、図示せぬカード用紙を縦方向に裁断するスリッターを有しており、同スリッターは互いに逆方向に回転する上刃軸４１および下刃軸４２を備え、前記上刃軸４１には複数個のデイスク状上刃４３が配されている。
【０００７】
また前記下刃軸４２には複数個のデイスク状下刃４４が配され、これら各軸４１、４２を回転軸として所定の間隔を離間させ、かつ上下刃４３、４４同志が互いに対応して複数組の対を形成し、これら各対の上下刃４３、４４の周縁同志が互いに摺り合うように固定して配されている。これら複数組の対のうち、少なくとも二組を一個のデイスク状上刃４３の両側面に二個のデイスク状下刃４４がそれぞれ摺り合って互いに隣接するように形成されている。
【０００８】
これら隣接する二個のデイスク状下刃４４間には先端の尖った切れくず落し片４５が配置されており、図７に示すように隣接する二個のデイスク状下刃４４間にはさまった切れくず４６を切れくず落し片４５の尖った先端で筋づけを行って幅狭状態にして切りくずを山型４７状に屈折させて、二個のデイスク状下刃４４間から落下させる構成となっている。
【０００９】
しかし、切れくず落し片４５の尖った先端で、二個のデイスク状下刃４４間に挟まった切りくず４６の湾曲した内側の全長にわたって筋付けを行い、山型４７状に屈折させ幅狭にするためには、切れくず落し片４５を極めて精密に位置決めして装置を組立てる必要がある。
即ち、切れくず落とし片が下刃４４の軸に向けて突出し過ぎる場合は、下刃４４の間に挟まった切りくずを軸側に押し込むことになるし、切れくず落とし片の先端が下刃４４の周縁部にとどかない場合は筋付けされず、幅狭にして落下させることもできない。したがって、かかる事態が生じないように、切りくず落とし片の長さや尖らせ具合等を正確に設計しなければならないし、先端が最適な位置にくるように取付け位置を正確に設定しなければならない。
【００１０】
また、そのような精密組立てを行っても、切りくず４６が常に下刃４４間の同じ位置に正確にはさまるという保証はない。もし仮に、切りくず４６が下刃４４の外周から設計上で予想した位置よりも少しでも深い位置にはさまった場合には、切れくず落し片４５の尖った先端の内側に入ることになり、切りくず４６を下刃４４間から落とすことは不可能となり、当初の目的を達成することができないという問題があった。
【特許文献１】特開平１０−１４６７９６号公報
【発明の開示】
【発明が解決しようとする課題】
【００１１】
本発明では、カード裁断装置におけるスリッター裁断部での二枚の回転デイスク刃間に挟まった切りくずを、確実に回転デイスク刃から引き剥がして外部に排出することのできる機能を備えたカード裁断装置を提供することにある。
【課題を解決するための手段】
【００１２】
本願発明の課題は本件請求項１に記載された発明により達成することができる。
即ち、本願発明では、シートの搬送路を挟み、互いに逆方向に回転し、前記シートの搬送方向に対して直交する方向に軸方向を配した一対の回転軸と、前記一対の回転軸のうち上方位置の回転軸の軸方向に、所定の間隔を保持して配した複数個の第１回転刃と、下方位置の回転軸の軸方向に、前記各第１回転刃２１との周縁同士が互いに摺り合ってスリッター裁断部を構成するように配された複数個の第２回転刃と、を備え、少なくとも１個の前記第１回転刃の両側面に、１対の前記第２回転刃を配し、前記一対の第２回転刃間に、前記一対の第２回転刃の回転軸を貫通する貫通孔が形成された板状体からなるガイド部材を設け、該ガイド部材の平面状または曲面状の周縁部をガイド面として、前記一対の第２回転刃間に挟まれた切りくずが回転軸側に圧入されるのを防止しつつ、前記第２回転刃から引き剥がして外部へとガイドしながら排出するように構成したことことを最も主要な特徴となしている。
【発明の効果】
【００１５】
本願発明では、カード裁断装置において、少なくとも１個の前記第１回転刃の両側面に配した１対の前記第２回転刃間に挟まれた切りくずを、同一対の第２回転刃間に挿入したガイド部材により、一対の第２回転刃間に挟まれた切りくずを同第２回転刃から引き剥がして外部に排出する構成を備えているので、一対の第２回転刃間に挟まれた切りくずを第２回転刃間の奥に押し込むことなく、ガイド部材により確実に切りくずを第２回転刃から引き剥がして外部に排出することができる。
【００１６】
これにより、カード裁断装置の裁断部におけるメンテナンスも最小限の回数で済み、常に安定した状態でカードの裁断操作を行うことができる。
【００１７】
また、ガイド部材に斜め下方に傾斜するガイド面を備えることにより、一対の第２回転刃間に挟まれた切りくずを斜め下方に傾斜するガイド面に沿って、円滑にしかも確実に切りくずを第２回転刃から引き剥がして外部に排出することができる。
【００１８】
ガイド部材としては、一対の第２回転刃間に挿入できる部材であればこれらの部材をガイド部材として使用することができるものであるが、一対の第２回転刃間に挿入して同第２回転刃の回転軸を貫通する貫通孔を備えた板状体を用いることにより、簡単な構成でありながら一対の第２回転刃間に挟まれた切りくずを容易に排出させることができる。
【００１９】
このとき、板状体の肉厚は一対の第２回転刃間の間隔より狭く構成し、板状体と一対の第２回転刃が当接しないように配設することが望ましい。また、板状体は、少なくとも一対の第２回転刃を回転軸に取り付けているボス部または第２回転軸近傍まで配設しておくことが、一対の第２回転刃間に挟まれた切りくずを一対の第２回転刃間に堆積させずに確実に外部へ排出させることができる。
【００２０】
ガイド部材は、板状体の端部を、第２回転刃から離間したカード裁断装置における固定部材に固定しておくことができる。
【００２１】
ガイド部材としての板状体は、一対の第２回転刃および第１回転刃に干渉しないように配置させておくこと、および裁断部に搬入されるカード用紙の搬送を阻害しないように配置しておくことが必要である。
【００２３】
第１回転刃としては回転厚刃を用い、第２回転刃として回転薄刃を用いることが望ましいが、本願発明は、回転厚刃及び回転薄刃に限定されるものではなくディスク状の回転刃であればこれを用いることができるものである。
【発明を実施するための最良の形態】
【００２４】
本発明では、カード裁断装置において一対の第２回転刃間に挟まった切りくずを確実に回転デイスク刃から引き剥がして外部に排出することを、一対の第２回転刃間に挿入され、同一対の第２回転刃間に挟まれた切りくずを同第２回転刃から引き剥がして外部に排出するガイド部材を配することによって実現した。
【００２５】
また、本願発明のガイド部材としては、斜め下方に傾斜するガイド面を有してなる構成とすることができる。ガイド部材の形状については、一対の第２回転刃間の回転軸を貫通する貫通孔を形成した板状体による構成とする。以下、本発明の好適な実施の形態について添付図面に基づいて具体的に説明する。
【実施例１】
【００２６】
図１は、本発明にかかるカード裁断装置の全体概要断面図であり、図２は図１におけるスリッター裁断部の正面図である。図３は図２におけるスリッター裁断部のＩ−Ｉ断面図である。本発明にかかるカード裁断装置についてその概要について図１を用いて説明する。
【００２７】
給紙台１に複数枚積層して載置されたカード用紙２は、給紙台１下流側に配したピックアップローラ３により１枚づつ取り出されて、給紙ローラ４に搬送される。給紙ローラ４は重送防止パッド６に圧接した状態で配設されており、給紙ローラ４に搬送されたカード用紙２が誤って重送されてきたときには、給紙ローラ４と重送防止パッド６の摩擦力の相違によって重送の防止を行うことができる。給紙ローラ４によってカード用紙２を１枚だけ確実に下流側に配置した第１搬送ローラ７と第１搬送加圧ローラ８間に搬送する。
【００２８】
給紙ローラ４と第１搬送ローラ７間には、第１検出センサＳ１が配設され、給紙ローラ４で搬送されたカード用紙２の側端部が、所定量以上搬送方向から外れているか否かを検出することができる。
【００２９】
カード用紙２としては、図４，５に示すようにシート上にカードとして形成される部分が複数印刷又は印字されてカード裁断装置で搬送されるが、専用のカード用紙については予め、カード用紙２の角部近傍でカード形成部分に掛からない部位に「｜｜・・｜｜」等の記号を付しておくことで、同記号を検出することにより専用紙か否かを判断することができる。
【００３０】
なお、実施例の説明では給紙台１を用いる場合について説明を行うが、本願発明のカード裁断装置Ａでは、給紙台１の代わりにカード用紙を複数枚積載した給紙カセットを用いることもできる。
【００３１】
第１搬送ローラ７と第１搬送加圧ローラ８の下流側に配した第２センサＳ２により搬送されたカード用紙２の先端部が検出されると、第１搬送ローラ７と第１搬送加圧ローラ８とによる搬送が制御され、カード用紙２を予め設定した搬送量毎にカード用紙２を横方向裁断部１１内に間欠搬送する。
【００３２】
横方向裁断部１１内には、上下一対の刃が配設されており、第１搬送ローラ７によって間欠搬送されたカード用紙２を、同第１搬送ローラ７の間欠駆動制御に同期して上下一対の切断刃１１ａ、１１ｂにより搬送方向に直交する横方向に裁断を行う。上下一対の切断刃１１ａ、１１ｂは、一方の切断刃が他方の切断刃に対して上下動し、他方の切断刃が固定された構成となっている。
【００３３】
図４，５には、カード用紙２のシート上に印刷または印字された複数葉のカードに形成されるカード部３１の配置状態を示している。複数葉のカード部３１が印刷または印字されたカード用紙２は図４，５で示す横切断線３５が上述の横方向裁断部１１内に配設した上下一対の切断刃１１ａ、１１ｂの切断位置に来るように、第１搬送ローラ７によって間欠搬送が行われて位置決めされる。
【００３４】
切断位置が位置決めされた後に、上述の上下一対の切断刃１１ａ、１１ｂによって図４，５で示す横切断線３５に沿っての切断が行われる。切断後、次の横切断線３５が上下一対の刃の切断位置に来るように、第１搬送ローラ７によって間欠搬送が行われて位置決めされ、上下一対の切断刃１１ａ、１１ｂによる切断が順次行われる。
【００３５】
即ち、最初に第１搬送ローラ７による間欠搬送で横方向裁断部１１内に搬送されたカード用紙２は、先端部側の余白３３を横切断線３５に沿って切断され、余白は横方向裁断部１１の下方に配した図示せぬ余白箱に落下して収納される。余白３３を切断されたカード用紙２は第１搬送ローラ７によって次の間欠搬送が行われ、第２搬送用加圧ローラ１２’と第２搬送ローラ１２間に狭持されて搬送される。次の横切断線３５が上下一対の切断刃１１ａ、１１ｂの切断位置に位置決めされると、第１搬送ローラ７及び第２搬送ローラ１２の搬送が停止されて、横切断線３５に沿っての切断が行われる。
【００３６】
カード用紙２が図４に示すように次のカードとの間に前後方向の余白３３、即ち、カード用紙の搬送方向に形成された余白がない場合でも、また図５に示すように次のカードとの間に縦方向の余白３３が存在する場合でも、切断されて分離したカード部は、第２搬送ローラ１２によって第３搬送ローラ１３に送られる。
【００３７】
分離したカード部を切断して残ったカード用紙２は、次の横切断線３５が上下一対の切断刃１１ａ、１１ｂの切断位置に来るように第１搬送ローラ７によって間欠搬送されて位置決めが行われる。図５に示すように次のカードとの間に前後方向の余白３３が存在する場合には、次の切断で前後方向の余白３３の切断が行われると、切断された前後方向の余白３３は、図示せぬ余白箱に落下して収納される。
【００３８】
第２搬送ローラ１２と第３搬送ローラ１３間には、第３センサＳ３が配置され、第２搬送ローラ１２によって搬送された横方向に切断されたカード先端の検出が行なわれる。第３センサＳ３によるカード先端の検出によって、第３搬送ローラ１３によるスリッター裁断部１５内への搬送が制御される。
【００３９】
スリッター裁断部１５内には、図２に示すように搬送路を挟んで互いに逆方向に回転する第１回転刃２１と第２回転刃２４とが切断する縦切断線３６の数だけ複数配設されている。各第１回転刃２１は、第１回転軸１７に取り付けられ、切断する縦切断線３６に対応した位置に配されている。また、第２回転刃２４は、第２回転軸１８に取り付けられ、第１回転刃２１との間で縦切断線３６に沿っての切断が行えるように、第１回転刃２１と周縁同士が互いに摺り合うようにスプリング３７で付勢された状態にて配設されている。
【００４０】
第１回転軸１７と第２回転軸１８は軸受けで回転自在に支承されるとともに、それぞれの端部に取り付けた歯車１９ａ、１９ｂ同士が噛合し、図示せぬ回転駆動源からの回転力により互いに逆方向に回転駆動される。
【００４１】
第１回転刃２１はボス２３を介して第１回転軸１７と一体回転するように取り付けられている。第２回転刃２４は、ボス２６を介して第２回転軸１８に対して軸方向に移動可能でかつ第２回転軸１８と一体回転するように取り付けられている。第１回転刃２１は厚刃２１ａ〜２１ｃに形成され、第２回転刃２４は薄刃２４ａ〜２４ｄに形成されている。第１回転刃２１の厚刃２１ａ〜２１ｃでスリット切断を行うカード部近傍の支持を行うことができ、第２回転刃２４の薄刃２４ａ〜２４ｄで厚刃によって支持された端部の切断を正確に行うことができる。
【００４２】
第１回転刃２１間及び第２回転刃２４間に一対の幅広のローラ３８を配することで、スリット切断を行うカード部を確実に支持することができるとともに、スキュー等の防止にも役立つことができる。
【００４３】
図４、５における左右の余白３４は、第１回転刃２１の厚刃２１ａと第２回転刃２４の薄刃２４ａ及び第１回転刃２１の厚刃２１ｃと第２回転刃２４の薄刃２４ｄとにより切断され、カード間の余白３４は、第１回転刃２１の厚刃２１ｂと第２回転刃２４の薄刃２４ｂ、２４ｃとにより切断される。スリッター裁断部１５で裁断されたカード部３１は、排出ローラ３２により外部に排出され、図示せぬ製品受けに収納される。
【００４４】
切断された左右の余白３４は、自由落下して余白箱内に収納されるが、カード間の余白３４は、切りくず３９として薄刃２４ｂと薄刃２４ｃ間に挟まれてしまうことが生じる。薄刃２４ｂと薄刃２４ｃ間に挟まれた切りくず３９は、薄刃２４ｂ、２４ｃ間に挿入し、排出用のガイド面２８ａ，２９ａ、３０ａを備えたガイド部材２７によって、薄刃２４ｂ、２４ｃ間から剥がされてスリッター裁断部１５の下方に配した図示せぬ余白箱内に落下させることができる。
【００４５】
ガイド部材２７としては板状体３０で構成され、一端が図示せぬカード裁断装置本体の固定部に固定され、上縁部（即ち、シートの搬送元から搬送先地点にかけて）は薄刃２４ｂ、２４ｃの周縁よりも回転軸側に位置し、下縁部（即ち、搬送先地点から固定部にかけて）は、薄刃２４ｂ，２４ｃの回転方向から徐々に下方に向かって傾斜するガイド面３０ａが形成されるように、薄刃２４ｂ、２４ｃ間に挿入配置されている。
即ち、板状体３０には、薄刃２４ｂ、２４ｃ間の第２回転軸１８またはボス２６を貫通挿入する貫通孔３０ｂが形成されている。板状体３０の一端部はカード裁断装置Ａ本体の図示せぬ固定部に固定されている。また、板状体３０は、傾斜状の下縁部以外では切りくず３９に当接せず、しかも搬送中のカードと干渉しない形状に配されている。また、板状体３０の薄刃２４ｂ、２４ｃ間に挿入した板状体３０は、切りくず３９が第２回転軸３６側に圧入されるのを防止して、ガイド面２８ａに沿って確実に外部に排出されるように形成されている。
【００４６】
板状体３０の周縁部の形状は、平面形状または曲面形状等に形成することができ、その材質は、切りくず３９を排出するためにガイドすることができ、薄刃２４ｂ、２４ｃと接触しない強度を有する材質のものであれば、金属、合成樹脂、木材等適宜の材質のものを用いることができる。
【産業上の利用可能性】
【００５２】
本願発明は、カード裁断装置におけるスリット切断において、一対の回転刃間に挟まった切りくずを確実に排出することのできるものであるが、スリット切断として一対の回転刃間に切りくずが挟まる危険性のあるものに対して使用することもできる。
【図面の簡単な説明】
【００５３】
【図１】本願発明に係わるカード裁断装置の一例を示した断面図である。（実施例１）
【図２】スリット裁断部の部分拡大図である。（実施例１）
【図３】図２のＩ−Ｉ断面側面図である。（実施例１）
【図４】カード用紙の印刷又は印字形態を示す図である。（実施例１）
【図５】カード用紙の他の印刷又は印字形態を示す図である。（実施例１）
【図６】スリッター部の正面図である。（従来例）
【図７】スリッター部の部分斜視図である。（従来例）
【符号の説明】
【００５４】
１ 給紙台
２ カード用紙
３ ピックアップローラ
４ 給紙ローラ
６ 重送防止パッド
７ 第１搬送ローラ
８ 第１搬送加圧ローラ
１１ 横方向裁断部
１１ａ、ｂ 切断刃
１２ 第２搬送ローラ
１２’ 加圧ローラ
１３ 第３搬送ローラ
１３’ 加圧ローラ
１５ スリッター裁断部
１７ 第１回転軸
１８ 第２回転軸
１９ａ、ｂ 歯車
２１ 第１回転刃
２１ａ、ｂ、ｃ 厚刃
２３ ボス
２４ 第２回転刃
２４ａ、ｂ、ｃ、d 薄刃
２６ ボス
２７ ガイド部材 
３０ 板状体（ガイド部材）
３０ａ ガイド面
３０ｂ 貫通孔
３１ カード部
３２ 排出ローラ
３３ 余白部（横）
３４ 余白部（縦）
３５ 切断線（横）
３６ 切断線（縦）
３７ スプリング
３８ ローラ
３９ 切りくず
４０ スリッター裁断部
４１ 上刃軸
４２ 下刃軸
４３ ディスク状上刃
４４ ディスク状下刃
４５ 切りくず落し片
４６ 切れくず
４７ 山型
Ａ カード裁断装置
Ｓ１〜Ｓ３ 第１〜第３センサ
【図１】
0003881327.tif 000002
【図２】
0003881327.tif 000003
【図３】
0003881327.tif 000004
【図４】
0003881327.tif 000005
【図５】
0003881327.tif 000006
【図６】
0003881327.tif 000007
【図７】
0003881327.tif 000008